(57)【要約】【課題】  広告データを他の通信端末装置に配信させることができるとともに、通信端末装置に対してその行為に対するインセンティブを、当該配信データを用いて還元する通信端末装置を提供すること。【解決手段】  携帯用通信端末装置２００は、他の携帯用通信端末装置と広告データの送受信を行うデータ送受信部２０１と、広告データの送受信時に当該広告データに対して所定の処理を行う通信制御部２０３と、識別情報を記録する領域を有する広告データを記録するデータ記録部２０４と、広告データを表示する端末表示部と、広告データを表示する際にその表示制御を行う表示制御部２０６と、を備え、広告データを配信する際に配信先の携帯用通信端末装置２００における識別情報を取得し、当該取得された識別情報を広告データとともにデータ記録部２０４に記録するようになっている。また、表示制御部２０６は、当該識別情報に基づいて広告データを端末表示部２０５に表示させる。【選択図】  図１
2005203949.tif 000002
【特許請求の範囲】
【請求項１】
所定のデータを配信データとして配信するデータ配信用サーバ装置または通信端末装置の少なくとも何れか一方から当該配信データを取得して表示手段に表示させる通信端末装置であって、
前記データ配信用サーバ装置または配信元の通信端末装置の少なくとも何れか一方から送信され、異なる複数の画像データと当該画像データの表示制御を行う表示制御領域とを少なくとも有する前記配信データを受信する受信手段と、
前記受信された配信データを格納するための格納手段と、
前記格納手段に格納されている前記配信データを他の通信端末装置に配信する配信手段と、
前記格納手段に格納されている前記配信データを配信先の前記通信端末装置に配信する毎に、当該配信先の通信端末装置における当該配信データを受信した旨を示す受信情報を取得する取得手段と、
前記配信先の通信端末装置に前記格納手段に格納されている前記配信データを配信する際に、当該格納されている配信データの表示制御領域に前記取得された受信情報を記録する記録制御手段と、
前記格納手段に格納されている前記配信データを表示手段に表示させる際に、前記表示制御領域に記録された受信情報に基づいて複数の画像データの中から一の画像データを特定し、当該特定された画像データを表示手段に表示させる表示制御手段と、
を備えることを特徴とする通信端末装置。
【請求項２】
請求項１に記載の通信端末装置において、
前記表示制御手段が、
前記格納手段に格納された配信データの表示制御領域における前記受信情報の記録数を検出する検出手段と、
前記検出された受信情報の記録数に基づいて前記複数の画像データの中から一の画像データを特定する特定手段と、
を有し、
前記特定された画像データを前記表示手段に表示させることを特徴とする通信端末装置。
【請求項３】
請求項１または２に記載の通信端末装置において、
前記配信手段が、当該通信端末装置の識別情報を前記受信情報として前記配信データに添付し、当該配信データを前記配信先の通信端末装置に配信することを特徴とする通信端末装置。
【請求項４】
請求項１乃至３の何れか一項に記載の通信端末装置において、
前記受信情報が前記配信先の通信端末装置における識別情報である場合に、
前記記録制御手段が、前記取得された配信データを前記格納手段に格納させるとともに、前記取得された識別情報を前記受信情報として前記格納手段に格納された配信データの表示領域に記録させることを特徴とする通信端末装置。
【請求項５】
請求項１乃至４の何れか一項に記載の通信端末装置において、
当該配信データの表示制御領域に既に前記受信情報が記録されている場合には、
前記配信手段が、前記配信データの表示制御領域に記録されている前記受信情報を削除し、当該受信情報が削除された配信データを他の通信端末装置に配信することを特徴とする通信端末装置。
【請求項６】
請求項１乃至５の何れか一項に記載の通信端末装置において、
前記取得手段によって取得された前記識別情報を前記受信情報として前記格納手段に格納されている配信データの表示制御領域に記録する場合であって、当該表示制御領域に既に前記識別情報が記録されている場合に、
前記記録制御手段が、
前記取得手段によって取得された識別情報である第１識別情報と前記表示制御領域に既に記録された識別情報である第２識別情報とが一致するか否かを判断する第１判断手段を有し、
前記第１判断手段の判断結果に基づいて前記第１識別情報と前記第２識別情報とが一致する場合に、前記第２識別情報の前記表示制御領域への記録を中止することを特徴とする通信端末装置。
【請求項７】
請求項１乃至６の何れか一項に記載の通信端末装置において、
前記取得手段によって取得された前記識別情報を前記受信情報として前記格納手段に格納されている配信データの表示制御領域に記録する場合であって、当該表示制御領域に既に前記識別情報が記録されている場合に、
前記記録制御手段が、前記表示制御領域における空き領域の有無を判断する第２判断手段を有し、
前記第２判断手段の判断結果に基づいて前記表示制御領域に空き領域が存在しない場合に、前記取得された識別情報の前記表示制御領域への記録を中止することを特徴とする通信端末装置。
【請求項８】
所定のデータを配信データとして通信端末装置に配信するデータ配信用サーバ装置であって、
異なる複数の画像データと前記通信端末装置が他の通信端末装置に配信する際に当該他の通信端末装置の識別情報を記録するための領域であって前記画像データの表示制御を行う表示制御領域とを有する前記配信データが予め格納されたデータ格納手段と、
前記格納された配信データを前記通信端末装置に配信する配信手段と、
を備えることを特徴とするデータ配信用サーバ装置。
【請求項９】
前記格納手段に格納されている、異なる複数の画像データと当該画像データの表示制御を行う表示制御領域とを少なくとも有する前記配信データを他の通信端末装置に配信する配信工程と、
配信先の前記通信端末装置に前記格納手段に格納されている前記配信データの送信を行う毎に、当該配信先の通信端末装置における当該配信データを受信した旨を示す受信情報を取得する取得工程と、
前記配信先の通信端末装置に前記格納手段に格納されている前記配信データを配信する際に、当該格納されている配信データの表示制御領域に前記取得された受信情報を記録する記録工程と、
前記格納手段に格納されている前記配信データを表示手段に表示させる際に、前記表示制御領域に記録された受信情報に基づいて複数の画像データの中から一の画像データを特定し、当該特定された画像データを表示手段に表示させる表示工程と、
を含むことを特徴とするデータ配信方法。
【請求項１０】
所定のデータを配信データとして配信する通信端末装置の少なくとも何れか一方から当該配信データを取得する配信データの受信方法であって、
異なる複数の画像データと当該画像データの表示制御を行う表示制御領域とを少なくとも有し、配信元の通信端末装置から配信された前記配信データおよび当該配信先の通信端末装置における識別情報を受信する受信工程と、
前記配信データを取得する際に、前記配信元の通信端末装置から自己の通信端末装置における当該配信データを受信した旨を示す受信情報を前記配信元の通信端末装置に送信する送信工程と、
前記取得された配信データを格納手段に格納させるとともに、当該格納された配信データに前記受信された識別情報を記録する格納工程と、
を含むことを特徴とするデータの受信方法。
【請求項１１】
コンピュータによって、前記格納手段に格納されている所定のデータを配信データとして配信するデータ配信プログラムであって、
前記コンピュータを、
前記格納手段に格納されている、異なる複数の画像データと当該画像データの表示制御を行う表示制御領域とを少なくとも有する前記配信データを他の通信端末装置に配信する配信手段と、
配信先の前記通信端末装置に前記格納手段に格納されている前記配信データの送信を行う毎に、当該配信先の通信端末装置における当該配信データを受信した旨を示す受信情報を取得する取得手段と、
前記配信先の通信端末装置に前記格納手段に格納されている前記配信データを配信する際に、当該格納されている配信データの表示制御領域に前記取得された受信情報を記録する記録制御手段と、
前記格納手段に格納されている前記配信データを表示手段に表示させる際に、前記表示制御領域に記録された受信情報に基づいて複数の画像データの中から一の画像データを特定し、当該特定された画像データを表示手段に表示させる表示制御手段と、
として機能させることを特徴とするデータ配信プログラム。
【請求項１２】
コンピュータによって、所定のデータを配信データとして配信する通信端末装置の少なくとも何れか一方から当該配信データを取得する配信データの受信プログラムであって、
異なる複数の画像データと当該画像データの表示制御を行う表示制御領域とを少なくとも有し、配信元の通信端末装置から配信された前記配信データおよび当該配信元の通信端末装置の識別情報を受信する受信手段と、
前記配信データを取得する際に、前記配信元の通信端末装置から自己の通信端末装置における当該配信データを受信した旨を示す受信情報を前記配信元の通信端末装置に送信する送信手段と、
前記取得された配信データを格納手段に格納させるとともに、当該格納された配信データに前記受信された識別情報を記録する記録制御手段と、
を含むことを特徴とする受信プログラム。
【請求項１３】
請求項１１に記載のデータ配信プログラムをコンピュータで読み取り可能に記録した情報記録媒体。
【請求項１４】
請求項１２に記載の受信プログラムをコンピュータで読み取り可能に記録した情報記録媒体。
【発明の詳細な説明】
【技術分野】
【０００１】
本発明は、特定のデータの送受信を行う通信端末装置に関し、特に、当該通信端末装置間においてデータの送受信を行うことによって表示される画像データの形式が変化する技術分野に属する。
【背景技術】
【０００２】
近年、携帯電話機やＰＤＡ（Personal Digital Assistants）などの携帯用通信端末装置の発達のより、屋内外の場所を選ばず、データ通信を行うことが一般的になってきている。また、有線および無線を問わず、かつ、インターネットや移動公衆通信網に代表される広域ネットワークまたは家庭内、事業所内に代表されるローカルエリアネットワークなど、様々な地域および空間において、ネットワークが構築されている。
【０００３】
特に、近年では、ＢＬＵＥＴＯＯＴＨ（ＩＥＥＥ：the Institute of Electrical and Electronics Engineers  ８０２．１５／登録商標：登録番号４６２３５７３）に代表されるような通信距離が１０ｍ程度の近距離の無線通信形式が一般化し始め、これを用いてローカルエリアネットワークを構築することも多くなってきている。
【０００４】
一方、最近ではこれらのネットワークを介して、データの送受信が一般的に行われており、例えば、通信端末装置同士がメール（手紙）の形式よってデータを交換する電子メールによって、ハイパーテキストに代表される特定の形式で形成されたデータであって通信端末装置が閲覧可能なデータを介して任意の配信データを取得するダウンロードによって、または、ローカルエリアネットワークにおいてＴＣＰ／ＩＰ（Transmission Control Protocol / Internet Protocol）やＵＤＰ（User Datagram Protocol）などのプロトコルと呼ばれる共通する通信形式を用いて他の通信端末装置にアクセスすることによって、データの送受信が行われている。
【発明の開示】
【発明が解決しようとする課題】
【０００５】
しかしながら、一般的に、広告データなどの情報告知の内容を有するデータの場合には、当該データ配信用サーバ装置にアクセスさせることに相当の労力が必要となる。すなわち、世界的に広がりを見せるインターネットなどのコンピュータネットワークにおいては、店舗などを含めて各個人が情報発信を容易に行うことは可能であるが、そのためには情報告知のデータを配信するサーバ装置にアクセスさせることが必要となり、当該サーバ装置にアクセスさせるまでが難しい。また、情報告知のデータを受信するためには、ネットワークを介してデータ配信用サーバ装置にアクセスする必要があるので、通信端末装置の動作環境によっては容易にアクセスすることができない場合や通信環境や費用などの面で容易にダウンロードの行為を実行させることが困難な場合も多い。
【０００６】
本発明は、上記の各問題点に鑑みて為されたもので、その課題の一例としては、データ配信用サーバ装置と時間的または空間的に異なる環境下であっても、広告データを他の通信端末装置に配信させることができるとともに、通信端末装置に対してその行為に対するインセンティブを、当該配信データを用いて還元することによって、容易にかつより多くの通信端末装置に広告データを配信することができる通信端末装置を提供することにある。
【課題を解決するための手段】
【０００７】
上記の課題を解決するために、請求項１に記載の発明は、所定のデータを配信データとして配信するデータ配信用サーバ装置または通信端末装置の少なくとも何れか一方から当該配信データを取得して表示手段に表示させる通信端末装置であって、前記データ配信用サーバ装置または配信元の通信端末装置の少なくとも何れか一方から送信され、異なる複数の画像データと当該画像データの表示制御を行う表示制御領域とを少なくとも有する前記配信データを受信する受信手段と、前記受信された配信データを格納するための格納手段と、前記格納手段に格納されている前記配信データを他の通信端末装置に配信する配信手段と、前記格納手段に格納されている前記配信データを配信先の前記通信端末装置に配信する毎に、当該配信先の通信端末装置における当該配信データを受信した旨を示す受信情報を取得する取得手段と、前記配信先の通信端末装置に前記格納手段に格納されている前記配信データを配信する際に、当該格納されている配信データの表示制御領域に前記取得された受信情報を記録する記録制御手段と、前記格納手段に格納されている前記配信データを表示手段に表示させる際に、前記表示制御領域に記録された受信情報に基づいて複数の画像データの中から一の画像データを特定し、当該特定された画像データを表示手段に表示させる表示制御手段と、を備える構成を有している。
【０００８】
この構成により、請求項１に記載の発明は、格納されている配信データを配信先の前記通信端末装置に配信する毎に、当該配信先の通信端末装置における受信情報を取得するとともに、当該取得された受信を当該格納されている配信データの表示制御領域に記録し、格納されている配信データを表示手段に表示させる際に、表示制御領域に記録された受信情報に基づいて複数の画像データの中から一の画像データを特定して、当該特定された画像データを表示手段に表示させる。
【０００９】
したがって、通信端末装置同士で当該配信データを配信、すなわち、通信端末装置を媒介して配信データの配信を行うことができるので、データ配信用サーバ装置から配信データを直接的に配信させなくても、当該配信データを様々な通信端末装置に配信させることができる。また、例えば、データを配信することによって取得した受信情報の記録数に基づいて、表示手段に表示される画像データを切り換えることができるので、当該配信データを配信した通信端末装置には、その配信に伴ってインセンティブを与えるように画像データを構成すれば、通信端末装置は積極的に他の通信端末装置に配信データを配信すると想定され、より多くの通信端末装置に配信データを配信させることが可能となる。
【００１０】
この結果、データ配信用サーバ装置と時間的または空間的に異なる環境下であっても、配信データを取得することができるとともに、容易に、かつ、より多くの通信端末装置に配信データを配信させることができる。
【００１１】
また、請求項２に記載の発明は、請求項１に記載の通信端末装置において、前記表示制御手段が、前記格納手段に格納された配信データの表示制御領域における前記受信情報の記録数を検出する検出手段と、前記検出された受信情報の記録数に基づいて前記複数の画像データの中から一の画像データを特定する特定手段と、を有し、前記特定された画像データを前記表示手段に表示させる構成を有している。
【００１２】
この構成により、請求項２に記載の発明は、格納された配信データの表示制御領域における受信情報の記録数を検出するとともに、検出された受信情報の記録数に基づいて複数の画像データの中から一の画像データを特定するデータを特定し、特定された画像データを表示手段に表示させる。
【００１３】
したがって、通信端末装置同士で当該配信データを配信、すなわち、通信端末装置を媒介して配信データの配信を行うことができるので、データ配信用サーバ装置から配信データを直接的に配信させなくても、当該配信データを様々な通信端末装置に配信させることができる。また、データを配信することによって取得した受信情報の記録数に基づいて、表示手段に表示される画像データを切り換えることができるので、当該配信データを配信した通信端末装置には、その配信に伴ってインセンティブを与えるように画像データを構成すれば、通信端末装置は積極的に他の通信端末装置に配信データを配信すると想定され、より多くの通信端末装置に配信データを配信させることが可能となる。
【００１４】
この結果、データ配信用サーバ装置と時間的または空間的に異なる環境下であっても、配信データを取得することができるとともに、容易に、かつ、より多くの通信端末装置に配信データを配信させることができる。
【００１５】
また、請求項３に記載の発明は、請求項１または２に記載の通信端末装置において、前記配信手段が、当該通信端末装置の識別情報を前記受信情報として前記配信データに添付し、当該配信データを前記配信先の通信端末装置に配信する構成を有している。
【００１６】
この構成により、請求項３に記載の発明は、通信端末装置の識別情報を受信情報として配信データに添付し、当該配信データを前記配信先の通信端末装置に配信する。
【００１７】
したがって、配信先の通信端末装置は、配信データの送信先の通信端末装置における識別情報を受信およびその記録を行うことができ、当該記録された識別情報に基づいて、配信データを配信した通信端末装置が以前に当該配信データを配信した通信端末装置か否かを判断させることができるので、同じ通信端末装置同士による配信データの交換によっては識別情報を表示制御領域に記録させることを禁止させることができる。
【００１８】
この結果、広告データにおける割引率の切換など表示手段に表示すべき配信データの画像データを切り換えることによってインセンティブを提供する場合であっても、不正な行為により画像データを切り換えることを防止することができる。
【００１９】
また、請求項４に記載の発明は、請求項１乃至３の何れか一項に記載の通信端末装置において、前記受信情報が前記配信先の通信端末装置における識別情報である場合に、前記記録制御手段が、前記取得された配信データを前記格納手段に格納させるとともに、前記取得された識別情報を前記受信情報として前記格納手段に格納された配信データの表示領域に記録させる構成を有している。
【００２０】
この構成により、請求項４に記載の発明は、受信情報が前記配信先の通信端末装置における識別情報である場合に、取得された配信データを格納するとともに、取得された識別情報を受信情報として格納された配信データの表示領域に記録させる。
【００２１】
したがって、配信データの送信先の通信端末装置における識別情報を受信およびその記録を行うことができ、当該記録された識別情報に基づいて、配信データを配信した通信端末装置が以前に当該配信データを配信した通信端末装置か否かを判断させることができるので、同じ通信端末装置同士による配信データの交換によっては識別情報を表示制御領域に記録させることを禁止させることができる。
【００２２】
この結果、広告データにおける割引率の切換など表示手段に表示すべき配信データの画像データを切り換えることによってインセンティブを提供する場合であっても、不正な行為により画像データを切り換えることを防止することができる。
【００２３】
また、請求項５に記載の発明は、請求項１乃至４の何れか一項に記載の通信端末装置において、当該配信データの表示制御領域に既に前記受信情報が記録されている場合には、
前記配信手段が、前記配信データの表示制御領域に記録されている前記受信情報を削除し、当該受信情報が削除された配信データを他の通信端末装置に配信する構成を有している。
【００２４】
この構成により、請求項５に記載の発明は、配信データの表示制御領域に記録されている受信情報を削除し、当該受信情報が削除された配信データを他の通信端末装置に配信する。
【００２５】
したがって、配信先の通信端末装置に何れの受信情報も記録されていない表示制御領域を有する配信データを提供することができるので、通信端末装置毎に配信行為に寄与したインセンティブを与えることができる。
【００２６】
また、請求項６に記載の発明は、請求項１乃至５の何れか一項に記載の通信端末装置において、前記取得手段によって取得された前記識別情報を前記受信情報として前記格納手段に格納されている配信データの表示制御領域に記録する場合であって、当該表示制御領域に既に前記識別情報が記録されている場合に、前記記録制御手段が、前記取得手段によって取得された識別情報である第１識別情報と前記表示制御領域に既に記録された識別情報である第２識別情報とが一致するか否かを判断する第１判断手段を有し、前記第１判断手段の判断結果に基づいて前記第１識別情報と前記第２識別情報とが一致する場合に、前記第２識別情報の前記表示制御領域への記録を中止する構成を有している。
【００２７】
この構成により、請求項６に記載の発明は、第１識別情報と前記表示制御領域に既に記録された第２識別情報とが一致するか否かを判断し、第１識別情報と第２識別情報とが一致する場合に、第２識別情報の表示制御領域への記録を中止する。
【００２８】
したがって、配信データの送信先の通信端末装置における識別情報を受信およびその記録を行うことができ、当該記録された識別情報に基づいて、配信データを配信した通信端末装置が以前に当該配信データを配信したか否かを判断させることができるので、同じ通信端末装置同士による配信データの交換によっては識別情報を表示制御領域に記録させることを禁止させることができる。
【００２９】
この結果、広告データにおける割引率の切換など表示手段に表示すべき配信データの画像データを切り換えることによってインセンティブを提供する場合であっても、不正な行為により画像データを切り換えることを防止することができる。
【００３０】
また、請求項７に記載の発明は、請求項１乃至６の何れか一項に記載の通信端末装置において、前記取得手段によって取得された前記識別情報を前記受信情報として前記格納手段に格納されている配信データの表示制御領域に記録する場合であって、当該表示制御領域に既に前記識別情報が記録されている場合に、前記記録制御手段が、前記表示制御領域における空き領域の有無を判断する第２判断手段を有し、前記第２判断手段の判断結果に基づいて前記表示制御領域に空き領域が存在しない場合に、前記取得された識別情報の前記表示制御領域への記録を中止する構成を有している。
【００３１】
この構成より、請求項７に記載の発明は、表示制御領域における空き領域の有無を判断し、表示制御領域に空き領域が存在しない場合に、前記取得された識別情報の表示制御領域への記録を中止する。
【００３２】
したがって、表示手段に表示する画像データの数など多くの画像データが必要なく、また、受信情報をカウントする構成も不要で、画像データの切換表示を制御することができるので、簡易でかつ容易に通信端末装置を構成することができる。
【００３３】
また、請求項８に記載の発明は、所定のデータを配信データとして通信端末装置に配信するデータ配信用サーバ装置であって、異なる複数の画像データと前記通信端末装置が他の通信端末装置に配信する際に当該他の通信端末装置の識別情報を記録するための領域であって前記画像データの表示制御を行う表示制御領域とを有する前記配信データが予め格納されたデータ格納手段と、前記格納された配信データを前記通信端末装置に配信する配信手段と、を備える構成を有している。
【００３４】
この構成により、請求項８に記載の発明は、格納されている、異なる複数の画像データと当該画像データの表示制御を行う表示制御領域とを有する配信データを前記通信端末装置に配信する。
【００３５】
したがって、例えば、データを配信することによって取得した受信情報の記録数に基づいて、表示手段に表示される画像データを切り換えることができる配信データを通信端末装置に送信することができるので、当該配信データを配信した通信端末装置には、その配信に伴ってインセンティブを与えるように画像データを構成すれば、通信端末装置は積極的に他の通信端末装置に配信データを配信すると想定され、より多くの通信端末装置に配信データを配信させることが可能となる。
【００３６】
この結果、データ配信用サーバ装置と時間的または空間的に異なる環境下であっても、配信データを取得することができるとともに、容易に、かつ、より多くの通信端末装置に配信データを配信させることができる。
【００３７】
また、請求項９に記載の発明は、前記格納手段に格納されている、異なる複数の画像データと当該画像データの表示制御を行う表示制御領域とを少なくとも有する前記配信データを他の通信端末装置に配信する配信工程と、配信先の前記通信端末装置に前記格納手段に格納されている前記配信データの送信を行う毎に、当該配信先の通信端末装置における当該配信データを受信した旨を示す受信情報を取得する取得工程と、前記配信先の通信端末装置に前記格納手段に格納されている前記配信データを配信する際に、当該格納されている配信データの表示制御領域に前記取得された受信情報を記録する記録工程と、前記格納手段に格納されている前記配信データを表示手段に表示させる際に、前記表示制御領域に記録された受信情報に基づいて複数の画像データの中から一の画像データを特定し、当該特定された画像データを表示手段に表示させる表示工程と、を含む構成を有している。
【００３８】
この構成により、請求項９に記載の発明は、格納されている配信データを配信先の前記通信端末装置に配信する毎に、当該配信先の通信端末装置における受信情報を取得するとともに、当該取得された受信を当該格納されている配信データの表示制御領域に記録し、格納されている配信データを表示手段に表示させる際に、表示制御領域に記録された受信情報に基づいて複数の画像データの中から一の画像データを特定して、当該特定された画像データを表示手段に表示させる。
【００３９】
したがって、通信端末装置同士で当該配信データを配信、すなわち、通信端末装置を媒介して配信データの配信を行うことができるので、データ配信用サーバ装置から配信データを直接的に配信させなくても、当該配信データを様々な通信端末装置に配信させることができる。また、例えば、データを配信することによって取得した受信情報の記録数に基づいて、表示手段に表示される画像データを切り換えることができるので、当該配信データを配信した通信端末装置には、その配信に伴ってインセンティブを与えるように画像データを構成すれば、通信端末装置は積極的に他の通信端末装置に配信データを配信すると想定され、より多くの通信端末装置に配信データを配信させることが可能となる。
【００４０】
この結果、データ配信用サーバ装置と時間的または空間的に異なる環境下であっても、配信データを取得することができるとともに、容易に、かつ、より多くの通信端末装置に配信データを配信させることができる。
【００４１】
また、請求項１０に記載の発明は、所定のデータを配信データとして配信する通信端末装置の少なくとも何れか一方から当該配信データを取得する配信データの受信方法であって、異なる複数の画像データと当該画像データの表示制御を行う表示制御領域とを少なくとも有し、配信元の通信端末装置から配信された前記配信データおよび当該配信先の通信端末装置における識別情報を受信する受信工程と、前記配信データを取得する際に、前記配信元の通信端末装置から自己の通信端末装置における当該配信データを受信した旨を示す受信情報を前記配信元の通信端末装置に送信する送信工程と、前記取得された配信データを格納手段に格納させるとともに、当該格納された配信データに前記受信された識別情報を記録する格納工程と、を含む構成を有している。
【００４２】
この構成により、請求項１０に記載の発明は、配信データを取得する際に、配信元の通信端末装置から受信情報を配信元の通信端末装置に送信し、取得された配信データを格納手段に格納させるとともに、当該格納された配信データに受信された受信情報を記録する。
【００４３】
したがって、例えば、データを配信することによって取得した受信情報の記録数に基づいて、表示手段に表示される画像データを切り換えることができるので、当該配信データを配信した通信端末装置には、その配信に伴ってインセンティブを与えるように画像データを構成すれば、通信端末装置は積極的に他の通信端末装置に配信データを配信すると想定され、より多くの通信端末装置に配信データを配信させることが可能となる。
【００４４】
この結果、容易に、かつ、より多くの通信端末装置に配信データを配信させることができる。
【００４５】
また、請求項１１または請求項１３に記載の発明は、コンピュータによって、前記格納手段に格納されている所定のデータを配信データとして配信するデータ配信プログラムであって、前記コンピュータを、前記格納手段に格納されている、異なる複数の画像データと当該画像データの表示制御を行う表示制御領域とを少なくとも有する前記配信データを他の通信端末装置に配信する配信手段と、配信先の前記通信端末装置に前記格納手段に格納されている前記配信データの送信を行う毎に、当該配信先の通信端末装置における当該配信データを受信した旨を示す受信情報を取得する取得手段と、前記配信先の通信端末装置に前記格納手段に格納されている前記配信データを配信する際に、当該格納されている配信データの表示制御領域に前記取得された受信情報を記録する記録制御手段と、前記格納手段に格納されている前記配信データを表示手段に表示させる際に、前記表示制御領域に記録された受信情報に基づいて複数の画像データの中から一の画像データを特定し、当該特定された画像データを表示手段に表示させる表示制御手段と、として機能させる構成を有している。
【００４６】
この構成により、請求項１１または請求項１３に記載の発明は、格納されている配信データを配信先の前記通信端末装置に配信する毎に、当該配信先の通信端末装置における受信情報を取得するとともに、当該取得された受信を当該格納されている配信データの表示制御領域に記録し、格納されている配信データを表示手段に表示させる際に、表示制御領域に記録された受信情報に基づいて複数の画像データの中から一の画像データを特定して、当該特定された画像データを表示手段に表示させる。
【００４７】
したがって、通信端末装置同士で当該配信データを配信、すなわち、通信端末装置を媒介して配信データの配信を行うことができるので、データ配信用サーバ装置から配信データを直接的に配信させなくても、当該配信データを様々な通信端末装置に配信させることができる。また、例えば、データを配信することによって取得した受信情報の記録数に基づいて、表示手段に表示される画像データを切り換えることができるので、当該配信データを配信した通信端末装置には、その配信に伴ってインセンティブを与えるように画像データを構成すれば、通信端末装置は積極的に他の通信端末装置に配信データを配信すると想定され、より多くの通信端末装置に配信データを配信させることが可能となる。
【００４８】
この結果、データ配信用サーバ装置と時間的または空間的に異なる環境下であっても、配信データを取得することができるとともに、容易に、かつ、より多くの通信端末装置に配信データを配信させることができる。
【００４９】
また、請求項１２または請求項１４に記載の発明は、コンピュータによって、所定のデータを配信データとして配信する通信端末装置の少なくとも何れか一方から当該配信データを取得する配信データの受信プログラムであって、異なる複数の画像データと当該画像データの表示制御を行う表示制御領域とを少なくとも有し、配信元の通信端末装置から配信された前記配信データおよび当該配信元の通信端末装置の識別情報を受信する受信手段と、前記配信データを取得する際に、前記配信元の通信端末装置から自己の通信端末装置における当該配信データを受信した旨を示す受信情報を前記配信元の通信端末装置に送信する送信工程と、前記取得された配信データを格納手段に格納させるとともに、当該格納された配信データに前記受信された識別情報を記録する格納工程と、を含む構成を有している。
【００５０】
この構成により、請求項１２または請求項１４に記載の発明は、配信データを取得する際に、配信元の通信端末装置から受信情報を配信元の通信端末装置に送信し、取得された配信データを格納手段に格納させるとともに、当該格納された配信データに受信された受信情報を記録する。
【００５１】
したがって、例えば、データを配信することによって取得した受信情報の記録数に基づいて、表示手段に表示される画像データを切り換えることができるので、当該配信データを配信した通信端末装置には、その配信に伴ってインセンティブを与えるように画像データを構成すれば、通信端末装置は積極的に他の通信端末装置に配信データを配信すると想定され、より多くの通信端末装置に配信データを配信させることが可能となる。
【００５２】
この結果、容易に、かつ、より多くの通信端末装置に配信データを配信させることができる。
【発明の効果】
【００５３】
本願発明は、格納されている配信データを配信先の前記通信端末装置に配信する毎に、当該配信先の通信端末装置における受信情報を取得するとともに、当該取得された受信を当該格納されている配信データの表示制御領域に記録し、格納されている配信データを表示手段に表示させる際に、表示制御領域に記録された受信情報に基づいて複数の画像データの中から一の画像データを特定して、当該特定された画像データを表示手段に表示させる。
【００５４】
したがって、通信端末装置同士で当該配信データを配信、すなわち、通信端末装置を媒介して配信データの配信を行うことができるので、データ配信用サーバ装置から配信データを直接的に配信させなくても、当該配信データを様々な通信端末装置に配信させることができる。また、例えば、データを配信することによって取得した受信情報の記録数に基づいて、表示手段に表示される画像データを切り換えることができるので、当該配信データを配信した通信端末装置には、その配信に伴ってインセンティブを与えるように画像データを構成すれば、通信端末装置は積極的に他の通信端末装置に配信データを配信すると想定され、より多くの通信端末装置に配信データを配信させることが可能となる。
【００５５】
この結果、データ配信用サーバ装置と時間的または空間的に異なる環境下であっても、配信データを取得することができるとともに、容易に、かつ、より多くの通信端末装置に配信データを配信させることができる。
【発明を実施するための最良の形態】
【００５６】
次に、本発明に好適な実施の形態について、図面に基づいて説明する。
【００５７】
なお、以下に説明する実施形態は、携帯用電話装置などの携帯用通信端末装置に対して本発明の通信端末装置を、および、当該携帯用通信端末装置に広告データを提供するデータ配信用サーバ装置に対して本発明のデータ配信用サーバ装置を適用した場合の実施形態である。
【００５８】
まず、図１を用いて本願に係る通信端末装置およびデータ配信用サーバ装置による通信システムの構成を説明する。なお、図１は、本願に係る一実施形態における通信システムの概略構成を示すブロック図である。
【００５９】
通信システム１０は、後述する広告データ５０を配信するデータ配信用サーバ装置１００と、当該データ配信用サーバ装置１００と直接的に、または、インターネット、移動通信公衆網、電話公衆網などの公衆通信網２０およびその公衆網回線に接続される基地局２１を介して間接的に、データ通信を行う複数の携帯用通信端末装置２００と、から構成されるようになっている。
【００６０】
この通信システム１０は、ＢＬＵＥＴＯＯＴＨ（登録商標）などの近距離無線通信の通信形式を用いてデータ配信用サーバ装置１００と携帯用通信端末装置２００との間にローカルエリアネットワーク３０を構築するようになっており、携帯用通信端末装置２００が予め設定された地域的範囲に進入した際に、データ配信用サーバ装置１００と当該形態携帯用通信端末装置２００との間にローカルエリアネットワーク（以下、第１ローカルエリアネットワークという。）３０ａを構築させ、データ配信用サーバ装置１００と携帯用通信端末装置２００の間において直接的に通信を行うようになっている。
【００６１】
一方、この通信システム１０は、ローカルエリアネットワーク３０ａの他に、公衆通信網２０および基地局を介してデータ配信用サーバ装置１００と携帯用通信端末装置２００との間に広域ネットワークを構築するようになっており、携帯用通信端末装置２００からの接続要求に基づいて、データ配信用サーバ装置１００と携帯用通信端末装置２００間において通信を行うようになっている。
【００６２】
また、この通信システム１０は、上述したデータ配信用サーバ装置１００との通信とは時間的または空間的に異なるエリアにおいて、ＢＬＵＥＴＯＯＴＨまたは赤外線通信などの近距離無線通信の通信形式を用いて、複数の携帯用通信端末装置２００の間にローカルエリアネットワーク（以下、第２ローカルエリアネットワークという。）３０ｂを構築するようになっており、当該複数の携帯用通信端末装置２００の間において直接通信を行うようになっている。
【００６３】
次に、図２を用いて本実施形態の通信システムにおけるデータ配信用サーバ装置の構成を説明する。なお、図２は、本実施形態における広告配信用サーバ装置の構成を示すブロック図である。
【００６４】
データ配信用サーバ装置１００は、図２に示すように、アンテナＡＴを介して携帯用通信端末装置２００と無線通信回線を構築するローカルエリア通信部１０１と、公衆通信網２０を介して携帯用通信端末装置２００と通信回線を構築する広域エリア通信部１０２と、後述するデータ形式を有する広告のデータ（以下、広告データ５０という。）を格納するデータ格納部１０３と、広告データ５０の設定を行う際に用いられるサーバ表示部１０４およびサーバ操作部１０５と、広告データ５０の配信制御を行うとともにデータ配信用サーバ装置１００全体を制御するサーバ制御部１０６と、広告データ５０の配信制御その他の各種の動作時に用いられるＲＯＭ／ＲＡＭ１０７と、を備えており、各部はバス１０８により接続されている。
【００６５】
なお、本実施形態のローカルエリア通信部１０１および広域エリア通信部１０２は、本発明の配信手段を構成し、データ格納部１０３は、本発明のデータ格納手段を構成する。
【００６６】
ローカルエリア通信部１０１は、アンテナＡＴを介して携帯用通信端末装置２００と無線通信回線を構築するようになっており、携帯用通信端末装置２００の検出、無線通信回線の確立および広告データ５０の送信処理を行うようになっている。
【００６７】
具体的には、このローカルエリア通信部１０１は、アンテナＡＴを用いて通信範囲に存在する携帯用通信端末装置２００の情報を収集するようになっており、当該収集した携帯用通信端末装置２００の情報に基づいて携帯用通信端末装置２００の検出を行うとともに、検出された携帯用通信端末装置２００との回線を確立するようになっている。
【００６８】
例えば、ＢＬＵＥＴＯＯＴＨ（登録商標）の通信形式を用いる場合に、ローカルエリア通信部１０１は、所定のアクセスコードを有し、他のパケットと識別するための識別パケット（以下、ＩＤパケットという。）を一定間隔毎に、一定の範囲に存在する全ての携帯用通信端末装置２００に対して送信するようになっている。
【００６９】
そして、ローカルエリア通信部１０１は、当該送信されたＩＤパケットを受信した携帯用通信端末装置２００から応答可能を意味する応答パケットが送信され、当該応答パケットを受信した場合に、当該応答パケットに基づいて携帯用通信端末装置２００を認識するとともに、認識した携帯用通信端末装置２００と同期および通信チャンネルを決定し、通信回線を確立するようになっている。
【００７０】
また、ローカルエリア通信部１０１は、サーバ制御部１０６の制御部の下、任意の携帯用通信端末装置２００との通信回線が確立すると、広告データ５０をデータ格納部１０３から取得し、当該取得された広告データ５０を所定の通信形式に変換して通信回線を確立した携帯用通信端末装置２００に送信するようになっている。
【００７１】
広域エリア通信部１０２は、公衆通信網２０を介して携帯用通信端末装置２００と通信回線を構築するようになっており、携帯用通信端末装置２００との通信回線の確立および広告データ５０の送信処理を行うようになっている。
【００７２】
具体的には、この広域エリア通信部１０２は、常時、公衆通信網２０に接続されており、携帯用通信端末装置２００からの接続要求に基づいて当該携帯用通信端末装置２００との通信回線を確立するようになっている。
【００７３】
また、この広域エリア通信部１０２は、携帯用通信端末装置２００との通信回線が確立し、広告データ５０の取得要求がなされると、広告データ５０をデータ格納部１０３から取得し、当該取得された広告データ５０を所定の通信形式に変換して通信回線を確立した携帯用通信端末装置２００に送信するようになっている。
【００７４】
例えば、本実施形態では、ローカルエリア通信部１０１は、任意の携帯用通信端末装置２００からの接続要求がなされると、ＨＴＭＬ（Hyper Text Markup Language）形式の予め定められたデータを当該携帯用通信端末装置２００に配信して表示させるようになっている。
【００７５】
そして、ローカルエリア通信部１０１は、当該表示されたデータに基づいて携帯用通信端末装置２００によって広告データ５０の送信が要求された場合に、広告データ５０をデータ格納部１０３から取得して携帯用通信端末装置２００に送信する、すなわち、携帯用通信端末装置２００にダウンロードさせるようになっている。
【００７６】
データ格納部１０３には、後述するデータ形式を有する広告データ５０を格納するようになっており、このデータ格納部１０３は、サーバ制御部１０６を介してローカルエリア通信部１０１または広域エリア通信部１０２の要求に基づいて、格納されている広告データ５０をローカルエリア通信部１０１または広域エリア通信部１０２に出力するようになっている。
【００７７】
なお、本実施形態におけるデータ格納部１０３に格納される広告データ５０のデータ形式の詳細については、後述する。
【００７８】
サーバ表示部１０４は、主に広告主または広告データ５０の配信を管理する管理者（以下、管理者等という。）によって、当該広告データ５０の設定、編集またはアップロードの操作の際に用いられるようになっており、サーバ操作部１０５と連動して所定の画像データを表示するようになっている。
【００７９】
サーバ操作部１０５は、各種確認ボタン、選択ボタン及び数字キー等の多数のキーを含むリモートコントロール装置またはキーボード等の入力装置により構成され、サーバ表示部１０４と同様に、管理者等によって、当該委広告データ５０の設定、編集またはアップロードの操作の際に用いられるようになっており、表示部と連動して管理者等の所定の命令を、サーバ制御部１０６を介して各部に出力するようになっている。
【００８０】
サーバ制御部１０６は、主に、中央演算処理装置（以下、ＣＰＵという。）とメモリから構成され、各部における全般的な機能を総括的に制御するようになっており、特に、本実施形態では、携帯用通信端末装置２００との通信回線の確立したとき、または、広告データ５０の送信時に、ローカルエリア通信部１０１、広域エリア通信部１０２およびデータ格納部１０３の各部における各機能を制御するようになっている。
【００８１】
次に、図３を用いて本実施形態の通信システム１０における携帯用通信端末装置２００の構成を説明する。なお、図３は、本実施形態における携帯用通信端末装置２００の構成を示すブロック図である。
【００８２】
携帯用通信端末装置２００は、図３に示すように、アンテナＡＴを介してデータ配信用サーバ装置１００または他の携帯用通信端末装置２００と無線通信回線を構築するデータ送受信部２０１と、公衆通信網２０を介してデータ配信用サーバ装置１００との通信回線を構築するとともに、音声データなどの各種のデータの通信を行うデータ通信部２０２と、広告データ５０の送受信時に当該広告データ５０に対して所定の処理を行う通信制御部２０３と、配信された広告データ５０が記録されるデータ記録部２０４と、広告データ５０その他のデータを表示する端末表示部２０５と、広告データ５０を表示する際にその表示制御を行う表示制御部２０６と、各部の操作を行うための端末操作部２０７と、マイクロホン２０８と、マイクロホン２０８に入力された音声を所定の信号に変換する音声処理部２０９と、スピーカ２１０と、スピーカ２１０に出力するために音声データに対して所定の処理を行う出力制御部２１１と、広告データ５０の送受信制御を行うとともに携帯用通信端末装置２００全体を制御する端末制御部２１２と、広告データ５０の送受信制御その他の各種の動作時に用いられるＲＯＭ／ＲＡＭ２１３と、を備え、各部はバス２１４により接続されている。
【００８３】
なお、本実施形態のデータ送受信部２０１は、本発明の受信手段、配信手段および送信手段を構成し、通信制御部２０３は、本発明の取得手段、記録制御手段、第１判断手段および第２判断手段を構成する。また、本実施形態のデータ記録部２０４は、本発明の格納手段を構成し、表示制御部２０６は、本発明の表示制御手段、検出手段および特定手段を構成する。さらに、本実施形態の端末表示部２０５は、本発明の表示手段を構成する。
【００８４】
データ送受信部２０１は、アンテナＡＴを介してデータ配信用サーバ装置１００と無線通信回線を構築するようになっており、当該データ配信用サーバ装置１００との無線通信回線の確立および広告データ５０の受信処理を行うようになっている。
【００８５】
具体的には、このデータ送受信部２０１は、データ配信用サーバ装置１００から一定間隔毎に送信された所定のデータを検出するようになっており、当該検出されたデータに基づき通信制御部２０３によって当該携帯用通信端末装置２００が受信可能である判断された場合に、データ配信用サーバ装置１００が有する広告情報の送信可能の旨を示すデータ（以下、送信指示データという。）を当該データ配信用サーバ装置１００に送信するようになっている。
【００８６】
そして、このデータ送受信部２０１は、送信指示データをデータ配信用サーバ装置１００に送信した後に、データ配信用サーバ装置１００から送信された所定のデータを受信することによって、当該データ配信用サーバ装置１００との同期および通信チャンネルを設定し、通信回線を確立するようになっている。
【００８７】
例えば、本実施形態では、ＢＬＵＥＴＯＯＴＨ（登録商標）の通信形式を用いる場合に、データ送受信部２０１は、ＩＤパケットを受信すると、通信制御部２０３に当該受信したＩＤパケットを出力するようになっている。そして、データ送受信部２０１は、通信制御部２０３によって受信したＩＤパケットに基づいて当該ＩＤパケットを送信したデータ配信用サーバ装置１００から配信される広告データ５０の受信が可能と判断されると、応答パケットをデータ配信用サーバ装置１００に送信するようになっている。
【００８８】
なお、携帯用通信端末装置２００が携帯用電話機の場合には、ＩＤパケットとともに加入者ＩＤを送受信するようになっており、当該加入者ＩＤを配信元または送信先の識別情報として用いるようになっている。
【００８９】
また、データ送受信部２０１は、端末操作部２０７の操作により、受信すべき広告データ５０の種類を予め設定することができるようになっており、当該受信が許可されていない広告データ５０を配信するデータ配信用サーバ装置１００とは通信回線の確立を行わないようになっている。
【００９０】
例えば、本実施形態では、データ配信用サーバ装置１００から送信されるＩＤパケットなどの識別情報に当該広告データ５０の識別情報が添付されており、データ送受信部２０１は、当該ＩＤパケットに基づいて広告データ５０を識別し、広告データ５０を識別することによって当該広告データ５０の受信を行うと判断した場合に、応答パケットをデータ配信用サーバ装置１００に送信するようになっている。これに対して、データ送受信部２０１は、広告データ５０を識別することによって当該広告データ５０の受信を行わないと判断した場合に、応答パケットを送信せず、当該データ配信用サーバ装置１００との通信を終了するようになっている。
【００９１】
さらに、このデータ送受信部２０１は、データ配信用サーバ装置１００との通信回線が確立した後に、当該データ配信用サーバ装置１００から送信された広告データ５０を受信するようになっており、受信された広告データ５０を、端末制御部２１２を介してデータ記録部２０４に出力するようになっている。
【００９２】
一方、データ送受信部２０１は、アンテナＡＴを介して他の携帯用通信端末装置２００と無線通信回線を構築するようになっており、他の携帯用通信端末装置２００に広告データ５０を送信する場合には、端末操作部２０７の操作に基づいて、他の携帯用通信端末装置２００の検出、無線通信回線の確立、広告データ５０の送信処理を行うようになっている。また、データ送受信部２０１は、他の携帯用通信端末装置２００から送信された広告データ５０を受信する場合には、端末操作部２０７の操作に基づいて、他の携帯用通信端末装置２００の検出、無線通信回線の確立、および、当該広告データ５０の受信処理を行うようになっている。
【００９３】
具体的には、このデータ送受信部２０１は、端末操作部２０７の操作に基づいて、アンテナＡＴにおける通信範囲に存在する他の携帯用通信端末装置２００の検出を行うようになっており、検出した他の携帯用通信端末装置２００との回線を確立するようになっている。
【００９４】
例えば、ＢＬＵＥＴＯＯＴＨ（登録商標）の通信形式を用いる場合に、データ送受信部２０１は、データ配信用サーバ装置１００と同様に、ＩＤパケットを広告データ５０の送信を行う他の携帯用通信端末装置２００に送信するようになっている。そして、データ送受信部２０１は、当該送信されたＩＤパケットを受信した携帯用通信端末装置２００から応答可能を意味する応答パケットが送信され、当該応答パケットを受信した場合に、当該応答パケットに基づいて携帯用通信端末装置２００を認識するとともに、認識した携帯用通信端末装置２００と同期および通信チャンネルを決定し、通信回線を確立するようになっている（インクワイアリ手順）。
【００９５】
なお、上述したように、携帯用通信端末装置２００が携帯用電話機の場合には、ＩＤパケットまたは応答パケットとともに加入者ＩＤを送受信するようになっており、当該加入者ＩＤを配信元または送信先の識別情報として用いるようになっている。
【００９６】
また、データ送受信部２０１は、通信制御部２０３の制御の下、他の携帯用通信端末装置２００との通信回線が確立すると、通信制御部２０３を介して広告データ５０をデータ記録部２０４から取得し、後述する所定の処理が施された広告データ５０を所定の通信形式に変換して通信回線を確立した携帯用通信端末装置２００に送信するようになっている。
【００９７】
さらに、このデータ送受信部２０１は、通信回線が確立された携帯用通信端末装置２００に広告データ５０を送信する際に、当該広告データ５０を送信した携帯用通信端末装置２００からその識別情報を受信するようになっており、受信された識別情報を通信制御部２０３に出力するようになっている。
【００９８】
なお、データ送受信部２０１において、他の携帯用通信端末装置２００から送信された広告データ５０を受信する動作は、データ配信用サーバ装置１００から広告データ５０が送信される場合と同様の処理のためにその説明を省略する。
【００９９】
また、通信制御部２０３は、受信した他の携帯用通信端末装置２００における識別情報に基づいてデータ記録部２０４に記録している広告データ５０の所定の領域に識別情報を付加するようになっている。
【０１００】
データ通信部２０２は、公衆通信網２０およびアンテナＡＴを介してデータ配信用サーバ装置１００と通信回線を構築するようになっており、データ配信用サーバ装置１００との通信回線の確立および広告データ５０の受信処理を行うようになっている。
【０１０１】
具体的には、このデータ通信部２０２は、端末操作部２０７の操作に基づいて、公衆通信網２０に接続するようになっており、データ配信用サーバ装置１００との接続要求に対して当該データ配信用サーバ装置１００による接続可能の旨を受信すると、通信回線を確立するようになっている。
【０１０２】
そして、このデータ通信部２０２は、データ配信用サーバ装置１００との通信回線が確立した後に、端末操作部２０７の操作に従って広告データ５０の配信要求をデータ配信用サーバ装置１００に送信するようになっており、当該配信要求に基づいてデータ配信用サーバ装置１００から広告データ５０が送信されると、当該広告データ５０を受信してデータ記録部２０４に出力するようになっている。
【０１０３】
例えば、本実施形態のデータ通信部２０２は、データ配信用サーバ装置１００に対して接続要求を送信すると、ＨＴＭＬ形式のデータを受信するようになっており、当該受信されたデータを端末表示部２０５に表示させるようになっている。そして、データ通信部２０２は、当該表示されたデータに基づき端末操作部２０７によって広告データ５０の受信の旨の操作が為されると、その旨をデータ配信用サーバ装置１００に送信するようになっている。また、このデータ通信部２０２は、データ配信用サーバ装置１００に広告データ５０の送信指示データを送信した後に、データ配信用サーバ装置１００の指示に基づいて広告データ５０をダウンロードするようになっており、当該ダウンロードした広告データ５０をデータ記録部２０４に出力するようになっている。
【０１０４】
一方、このデータ通信部２０２は、音声データ、映像データまたは文書データなどの各種データの送受信を行うようになっており、端末表示部２０５、端末操作部２０７、マイクロホン２０８およびスピーカ２１０を用いて、音声通話、データ通信およびこれらに伴う各種のデータ通信を行うようになっている。
【０１０５】
通信制御部２０３は、他の携帯用通信端末装置２００との無線通信回線を構築し、広告データ５０を送信する際に、当該広告データ５０を初期状態に戻してデータ送受信部２０１を介して他の携帯用通信端末装置２００に送信するようになっている。
【０１０６】
また、この通信制御部２０３は、広告データ５０を他の携帯用通信端末装置２００に送信する際に、当該広告データ５０を送信した他の携帯用通信端末装置２００の識別情報を取得し、受信した他の携帯通信端装置の識別情報をデータ記録部２０４に記録している広告データ５０に付加するようになっている。
【０１０７】
一方、他の携帯用通信端末装置２００から送信された広告データ５０が受信された携帯用通信端末装置２００における通信制御部２０３は、当該通信制御部２０３の内部に格納されている識別情報を、広告データ５０を送信した他の携帯用通信端末装置２００に送信するようになっている。
【０１０８】
なお、携帯用通信端末装置２００が携帯用電話装置の場合には、識別情報として当該携帯用電話装置のユーザＩＤまたは電話番号など、携帯用電話装置固有の識別情報を送信するようになっている。
【０１０９】
また、本実施形態における通信制御部２０３の詳細、および、他の携帯用通信端末装置２００との間における広告データ５０通信処理の動作の詳細については、後述する。
【０１１０】
データ記録部２０４には、データ配信用サーバ装置１００によって配信された広告データ５０が格納されるようになっており、他の携帯用通信端末装置２００に当該格納されている広告データ５０が送信されると、当該広告データ５０に他の携帯用通信端末装置２００の識別情報が付加されて格納、すなわち、識別情報が付加された広告情報が上書きされ、格納されるようになっている。
【０１１１】
なお、上述したように、本実施形態において送受信される広告データ５０のデータ形式の詳細については、後述する。
【０１１２】
端末表示部２０５は、液晶パネルその他の表示パネルによって構成され、映像データ、通信用の文書データおよび端末操作部２０７と連動してデータ通信に関する所定のデータを表示するようになっている。特に、この端末表示部２０５は、表示制御部２０６の制御に基づいて受信されたまたはデータ記録部２０４に記録されている広告データ５０を表示するようになっている。
【０１１３】
表示制御部２０６は、端末表示部２０５に表示される各種データの表示制御を行うようになっており、特に、広告データ５０を端末表示部２０５に表示させる際に、データ記録部２０４に記録されている広告データ５０のデータ形式および後述する広告データ５０に記録されている識別情報に基づいて端末表示部２０５に表示させる画像データを抽出し、当該抽出した画像データを端末表示部２０５に表示させるようになっている。
【０１１４】
なお、本実施形態における表示制御部２０６の詳細、および、当該表示制御部２０６における広告データ５０の表示処理の詳細については、後述する。
【０１１５】
端末操作部２０７と、各種確認ボタン、選択ボタン及び数字キー等の多数のキーを含むリモートコントロール装置またはキーボード等の入力装置により構成される。特に、端末操作部２０７は、データ通信に関する各種の操作、または、広告データ５０の送受信に関する操作の際に用いられるようになっており、端末表示部２０５と連動してユーザの所定の命令を、端末制御部２１２を介して各部に出力するようになっている。
【０１１６】
音声処理部２０９には、マイクロホン２０８から出力された音声信号が入力されるようになっており、この音声処理部２０９は、入力された音声信号に所定の処理を施すとともに、所定の信号に変換し、各部に出力するようになっている。特に、この音声処理部２０９は、他の携帯用通信端末装置２００との音声通話を行う際に、所定の信号に変換された音声信号を、データ通信部２０２を介して他の携帯用通信端末装置２００に送信するようになっている。
【０１１７】
出力制御部２１１は、スピーカ２１０に出力するために音声データに対して所定の処理を行うことによって音声信号に変換し、変換された音声信号をスピーカ２１０に出力するようになっている。特に、この出力制御部２１１は、他の携帯用通信端末装置２００との音声通話を行う際に、他の携帯用通信端末装置２００から受信した音声データを音声信号に変換し、当該変換された音声信号をスピーカ２１０に出力するようになっている。
【０１１８】
なお、スピーカ２１０は、音声出力部から出力された音声信号に基づいて外部に当該音声を拡声するようになっている。
【０１１９】
端末制御部２１２は、主に、ＣＰＵとメモリから構成され、各部における全般的な機能を総括的に制御するようになっており、特に、本実施形態では、データ配信用サーバ装置１００または他の携帯用通信端末装置２００との通信回線の確立と、広告データ５０の送受信時に、データ送受信部２０１、データ通信部２０２および通信制御部２０３の各部の制御と、広告データ５０を表示する際に表示制御部２０６の制御と、を実行するようになっている。
【０１２０】
次に、図４を用いて、本実施形態において送受信される広告データ５０のデータ形式について説明する。なお、図４は、本実施形態において送受信される広告データ５０のデータ形式の一例である。
【０１２１】
例えば、広告データ５０は、図４に示すように、当該広告データ５０の広告の種別の情報、表示制御領域５２に記録することが可能な識別情報の記録数などの当該広告データ５０の構成態様が記録されているヘッダ領域５１と、携帯用通信端末装置２００の識別情報が記録される表示制御領域５２と、実際に携帯用通信端末装置２００に表示されるテキストデータを含む画像データ領域５３と、当該広告データ５０の配信元の情報が記録されているフッタ領域５４と、から構成されるようになっている。
【０１２２】
ヘッダ領域５１には、当該広告データ５０の配信元の携帯用通信端末装置２００の識別情報と、飲食店、宿泊施設などの店舗の業種または提供するサービスの種別などの当該広告データ５０の広告の種別の情報、当該広告データ５０全体のデータの大きさ、当該広告データ５０の構成、表示制御領域５２に記録することが可能な識別情報の記録数、当該識別情報の記録形式を示す情報および当該識別情報に基づいて表示する画像データの構成を示す情報が記録されている。
【０１２３】
なお、携帯用通信端末装置２００の通信制御部２０３は、広告データ５０を他の携帯用通信端末装置２００に送信する際に、このヘッダに記録された情報に基づいて、他の携帯用通信端末装置２００から送信された識別情報に所定の処理を施すとともに、当該所定の処理が施された識別情報をデータ記録部２０４に記録されている広告データ５０の表示制御領域５２に記録するようになっている。
【０１２４】
表示制御領域５２には、携帯用通信端末装置２００が他の携帯用通信端末装置２００に広告データ５０を配信する際に、当該他の携帯用通信端末装置２００から取得した識別情報が記録されるようになっており、予め定められた識別情報が記録されるようになっている。
【０１２５】
具体的には、本実施形態では、表示制御領域５２には、識別情報が記録されることができる数のデータ列が記録されるエリア（以下、識別情報記録エリアという。）５２ａが設けられており、識別情報を記録する毎に、一の空の識別情報記録エリアに所定の識別情報が記録されるようになっている。
【０１２６】
例えば、図４に示すように、表示制御領域５２において、第１識別情報記録エリア５２ａから第５識別情報記録エリア５２ｅが設けられており、広告データ５０を配信することによって配信先の携帯用通信端末装置２００の当該識別情報を取得する毎に、各識別情報記録エリアに暗号化された、または、ハッシュ関数に基づいて変換された各識別情報が記録されるようになっている。
【０１２７】
また、携帯用通信端末装置２００が携帯用電話機の場合には、ＩＤパケットとともに加入者ＩＤを送受信するようになっており、当該加入者ＩＤを配信元または送信先の識別情報として各識別情報記録エリア５２に記録されるようになっている。
【０１２８】
なお、表示制御領域５２に記録することが可能な識別情報の記録数は予め設定されており、当該記録可能な識別情報の記録数を上回る数の識別情報を記録することができないようになっている。そして、この記録可能な識別情報の記録数は、広告主または代理店が広告データ５０の配信時に決定されるようになっており、表示制御領域５２には当該決定された識別情報の記録数が反映される、すなわち、決定された数の識別情報記録エリアが設けられた表示制御領域５２を有する広告データ５０が配信されるようになっている。
【０１２９】
また、後述するように、広告データ５０を他の携帯用通信端末装置２００に送信される際には、当該表示制御領域５２に記録されている識別情報が破棄された状態の表示制御領域５２を有する広告データ５０が配信されるようになっている。
【０１３０】
ただし、データ記録部２０４に既に記録されている広告データ５０の表示制御領域５２、すなわち、他の携帯用通信端末装置２００に配信される広告データ５０の基になる当該広告データ５０の表示領域は、初期状態に戻さず、他の携帯用通信端末装置２００に送信する広告データ５０のみ初期状態に設定されるようになっている。
【０１３１】
また、後述するように、表示制御領域５２に、識別情報を記録する際に、同じ形式のデータ列が記録されている場合には、当該データ列を表示制御領域５２に記録されないようになっている。
【０１３２】
画像データ領域５３は、広告情報が表示される際に、常に表示される固定表示用情報領域と、広告情報が表示される際に、表示制御領域５２に記録されている識別情報の記録数に基づいて変換するレイヤ情報領域５３ａと、を有しており、レイヤ情報領域には、識別情報の記録数毎に、表示すべき画像データが記録されている。
【０１３３】
例えば、表示制御領域５２に５つの識別情報が記録される場合には、当該レイヤ情報領域には、第１画像データ５３ｂ−１から第６画像データ５３ｂ−６の６つの画像データが記録されており、何れの識別情報も記録されていないときは第１画像データが表示される、または、１つの識別情報が記録されているときは第２画像データが表示されるなど、各種の識別情報の記録数に基づいてその数に対応する画像データが記録されるようになっている。
【０１３４】
なお、この画像データの数と識別情報の記録数は、対応している必要はなく、識別情報の記録数に有る程度の幅を持たせてその数が属する画像データを表示させることも可能である。
【０１３５】
また、画像データが端末表示部２０５に表示されるときは、固定表示用情報領域に記録されている画像データに、特定されたレイヤ情報領域の画像データを組み合わせて一の画像データを当該端末表示装置に表示されるようになっている。
【０１３６】
フッタ領域５４には、当該広告データ５０の配信元に関する情報、例えば、広告主の名称、所在地などの広告主に関する情報、および、当該広告の配信を代理している代理店の名称その他の当該広告情報の著作に関する情報が記録されている。
【０１３７】
本実施形態では、このように広告データ５０のデータ形式を構成するようになっているので、例えば、一の携帯用通信端末装置２００が広告データ５０を配信した数に比例して、携帯用通信端末装置２００に表示される広告データ５０の表示内容を変化させることができるようになっている。
【０１３８】
例えば、広告データ５０が任意の店舗における割引券の要素を有している場合に、識別情報に比例して割引率が高くなるように当該割引率を変えた各画像データを記録しておけば、携帯用通信端末装置２００のユーザが当該携帯用通信端末装置２００によって他の携帯用通信端末装置２００に広告データ５０を配信することによって、配信した数だけの識別情報を表示制御領域５２に記録され、それに基づいて広告データ５０を表示させることができるので、配信した数に比例した割引率を示す広告データ５０を表示させることができるようになっている。
【０１３９】
次に、本実施形態における携帯用通信端末装置２００の通信制御部２０３の詳細について説明する。
【０１４０】
通信制御部２０３は、上述のように、他の携帯用通信端末装置２００との無線通信回線を構築し、広告データ５０を送信する際に、データ送受信部２０１によって受信された他の携帯通信端装置の識別情報をデータ記録部２０４に記録している広告データ５０に付加するようになっている。
【０１４１】
具体的には、通信制御部２０３は、広告データ５０を他の携帯用通信端末装置２００に送信する際に、データ記録部２０４に記録されている広告データ５０の当該表示制御領域５２に記録されている識別情報を破棄し、表示制御領域５２を初期状態に戻してから他の携帯用通信端末装置２００に当該広告データ５０を送信するようになっている。すなわち、通信制御部２０３は、広告データ５０を他の携帯用通信端末装置２００に送信する際に、当該広告データ５０の表示制御領域５２を標準状態（デフォルト）に戻して他の携帯用通信端末装置２００に送信するようになっている。ただし、データ記録部２０４に記録されている広告データ５０の表示制御領域５２は、初期状態に戻さず、他の携帯用通信端末装置２００に送信する広告データ５０のみ初期状態に設定されるようになっている。
【０１４２】
そして、通信制御部２０３は、他の携帯用通信端末装置２００との通信回線の確立後、または、広告データ５０の送信後に、当該他の携帯用通信端末装置２００の識別情報を取得するようになっており、取得された識別情報に所定の処理を施し、データ記録部２０４に記録されている広告データ５０における表示制御領域５２の空き領域に、例えば第１識別情報記録エリア５２ａに、当該取得された識別情報を記録するようになっている。
【０１４３】
なお、通信制御部２０３は、取得された識別情報に対して所定の暗号化またはハッシュ関数に基づいて所定のデータ列に変換し、当該変換されたデータ列を表示制御制御領域に記録するようになっている。
【０１４４】
また、この通信制御部２０３は、データ記録部２０４に記録されている広告データ５０における表示制御領域５２に識別情報を記録する際に、表示制御領域５２の空き領域を判断するようになっており、当該表示領域に空き領域が存在しない場合には、識別情報の記録を中止する、すなわち、当該取得した識別情報を破棄するようになっている。
【０１４５】
さらに、通信制御部２０３は、データ記録部２０４に記録されている広告データ５０における表示制御領域５２の空のデータ列の領域に、当該取得所定の処理が施された識別情報を記録する際に、同じ識別情報が記録されているか否かも判断するようになっており、同じ識別情報が記録されている場合には、当該取得された識別情報は以前に広告データ５０を送信した携帯用通信端末装置２００であると判断し、当該識別情報を表示制御領域５２に格納せず、その記録を中止する、すなわち、当該識別情報を破棄するようになっている。
【０１４６】
なお、これにより、本実施形態では、同じ携帯用通信端末装置２００に２回以上広告データ５０を配信させたとしても、当該同じ携帯用通信端末装置２００における識別情報を表示制御領域５２に記録することができないので、表示されるレイヤ情報領域の画像データは変化しないようになっている。
【０１４７】
次に、本実施形態における携帯用通信端末装置２００の表示制御部２０６の詳細について説明する。
【０１４８】
表示制御部２０６は、端末表示部２０５に表示される各種データの表示制御を行うようになっており、特に、広告データ５０を端末表示部２０５に表示させる際に、データ記録部２０４に記録されている広告データ５０のデータ形式に基づいて端末表示部２０５に表示させる画像データを抽出し、当該抽出した画像データを端末表示部２０５に表示させるようになっている。
【０１４９】
具体的には、表示制御部２０６は、広告データ５０を端末表示部２０５に表示させる際に、表示制御領域５２に記録されている識別情報の記録数を読み出すとともに、固定表示用情報領域に記録された画像データと、当該識別情報の記録数に対応したレイヤ情報領域に記録された画像データとを読み出し、当該各画像データに基づいて端末表示部２０５に広告データ５０を表示させるようになっている。
【０１５０】
例えば、表示制御領域５２に５つの識別情報が格納される場合には、表示制御部２０６は、固定表示用情報領域に記録されている画像データと、レイヤ情報領域に記録されている５つの識別情報に対応する画像データと、を読み出して端末表示部２０５に表示させるようになっている。
【０１５１】
また、識別情報の記録数に対応する表示すべきレイヤ情報領域の画像データについては、広告データ５０のヘッダ領域５１に記録されており、表示制御部２０６は、当該ヘッダ領域５１と、識別情報の記録数に基づいて、固定表示用情報領域とレイヤ情報領域とに記録されている画像データを組み合わせて端末表示部２０５に表示させるようになっている。
【０１５２】
次に、図５を用いて、複数の携帯用通信端末装置２００との間における広告データ５０通信処理の動作について説明する。
【０１５３】
なお、図５は、本実施形態の広告データ５０の送受信を行う各携帯用通信端末装置２００における広告データ５０通信処理の動作を示すフローチャートであり、図５（ａ）は広告データ５０を配信する携帯用通信端末装置２００のフローチャート、および、図５（ｂ）は、広告データ５０の配信を受ける携帯用通信端末装置２００のフローチャートである。
【０１５４】
また、以下の動作説明において、広告データ５０を配信する携帯用通信端末装置２００を第１携帯用通信端末装置２００ａ、および、広告データ５０の配信を受ける携帯用通信端末装置２００を第１携帯用通信端末装置２００ｂといい、各携帯用通信端末の各部材についても第１または第２の名称を付加して説明する。
【０１５５】
さらに、以下の動作の説明において、各携帯用通信端末装置２００はデータ配信用サーバ装置１００とは時間的および空間的に異なる場所に存在しているとともに、第１携帯用通信端末装置２００ａのデータ記録部２０４には既に広告データ５０が格納されているものとし、ＢＬＵＥＴＯＯＴＨ（登録商標）の通信形式を用いるものとする。
【０１５６】
まず、第１のユーザおよび第２のユーザが第１携帯用通信端末装置２００ａの第１端末操作部２０７または第２携帯用通信端末装置２００ｂの第２端末操作部２０７をそれぞれ操作することによって、広告データ５０の送信開始または当該広告データ５０の受信開始が指示されると、第１端末制御部２１２または第２端末制御部２１２は、第１端末操作部２０７および第２端末操作部２０７の各指示に基づいて送信処理または受信処理の各通信処理を開始する（ステップＳ１１、ステップＳ２１）。
【０１５７】
次いで、第１端末制御部２１２は、第１通信制御部２０３および第１データ送受信部２０１を介して第２携帯用通信端末装置２００ｂとの通信回線の確立のために第１携帯用通信端末装置２００ａの加入者ＩＤなどの識別情報を付したＩＤパケットを送信する（ステップＳ１２）。
【０１５８】
このとき、第２携帯用通信端末装置２００ｂでは、第２データ送受信部２０１は、送信されたＩＤパケットを検出するとともに（ステップＳ２２）、当該ＩＤパケットを検出すると、第２通信制御部２０３は、当該ＩＤパケットが通信可能な第１携帯用通信端末装置２００ａから送信されたものであるか否かを判断する（ステップＳ２３）。
【０１５９】
なお、例えば、本実施形態では、第２通信制御部２０３は、受信されたＩＤパケットを有する第１携帯用通信端末装置２００ａの個別情報を第２端末表示部２０５に表示させ、第２端末制御部２１２を介して通信可能の可否を第２のユーザに提示し、当該第２のユーザの第２端末操作部２０７の操作により判断する。
【０１６０】
次いで、第２通信制御部２０３が、通信可能な第１携帯用通信端末装置２００ａでないと判断した場合には、何れの応答も行わず、本動作を終了する。一方、第２通信制御部２０３が、通信可能な第１携帯用通信端末装置２００ａであると判断した場合には、第２通信制御部２０３は、第２データ送受信部２０１を介して加入者ＩＤなどの識別情報を付した応答パケットを第１携帯用通信端末装置２００ａに送信する（ステップＳ２４）。
【０１６１】
第２通信制御部２０３が応答パケットを第１携帯用通信端末装置２００ａに送信すると、第１携帯用通信端末装置２００ａでは、第２携帯用通信端末装置２００ｂから送信された応答パケットを第１データ送受信部２０１が受信する（ステップＳ１３）。
【０１６２】
次いで、当該第１通信制御部２０３は、通信チャンネルを決定するとともに、同期信号とともに通信チャンネルの情報を第２携帯用通信端末装置２００ｂに送信し、通信回線を確立させる（ステップＳ１４）。
【０１６３】
次いで、第１端末制御部２１２を介して第１データ記録部２０４から広告データ５０を読み出し、当該読み出された広告データ５０の初期状態に設定するとともに、第１データ送受信部２０１を介して決定した通信チャンネルおよび同期信号に従って当該初期状態に設定された広告データ５０を第２携帯用通信端末装置２００ｂに送信する（ステップＳ１５）。
【０１６４】
このとき、第２携帯用通信端末装置２００ｂでは、第２通信制御部２０３は、第２データ送受信部２０１を介して通信チャンネルの情報および同期信号を受信して第１携帯用通信端末装置２００ａとの通信回線を確立するとともに（ステップＳ２５）、当該通信回線確立後に、送信された広告データ５０を受信する（ステップＳ２６）。
【０１６５】
次いで、第２通信制御部２０３は、受信された広告データ５０を、第２端末制御部２１２を介して第２データ記録部２０４に記録させ（ステップＳ２７）、広告データ５０の受信の終了の旨および第２携帯用通信端末装置２００ｂの識別情報を第１携帯用通信端末装置２００ａに送信し（ステップＳ２７）、広告データ５０受信動作を終了させる。
【０１６６】
なお、このとき、第２通信制御部２０３は、受信された第１携帯用通信端末装置２００ａのＩＤパケットに示される識別情報を広告データ５０のヘッダ領域５１に記録する。
【０１６７】
一方、第１携帯用通信端末装置２００ａでは、第１通信制御部２０３は、第１携帯用通信端末装置２００ｂから送信された識別情報を、第１データ送受信部２０１を介して受信すると（ステップＳ１６）、第１データ記録部２０４の表示制御領域５２における空き領域の有無を判断するとともに（ステップＳ１７）、当該受信された識別情報と、第１データ記録部２０４に記録された広告データ５０の表示制御領域５２にある識別情報とを比較、または、当該受信された識別情報と、広告データ５０のヘッダ領域５１に他の携帯用通信端末装置２００の識別情報が記録されている場合にはヘッダ領域５１の識別情報および表示領域の識別情報と、を比較する（ステップＳ１８）。
【０１６８】
次いで、第１通信制御部２０３が、第１データ記録部２０４の表示制御領域５２における空き領域が無いと判断した場合には、または、第１通信制御部２０３が、１データ記録部２０４の表示制御領域５２における空き領域が無いと判断するとともに、第１データ記録部２０４の表示制御領域５２における空き領域当該受信された識別情報と第１データ記録部２０４の表示制御領域５２にある識別情報とを比較した結果、各識別情報が一致すると判断した場合に、すなわち、受信された識別情報と、ヘッダ領域５１に記録されている識別情報または表示制御領域５２に記録されている識別情報と、が一致すると判断した場合には、第１通信制御部２０３は、そのまま広告データ５０の配信動作を終了させる。
【０１６９】
一方、第１通信制御部２０３が、１データ記録部２０４の表示制御領域５２における空き領域が有ると判断した場合であって、各識別情報を比較した結果、各識別情報が一致しないと判断した場合には、当該第１通信制御部２０３は、受信された識別情報に所定の処理を施し、第１データ記録部２０４の表示制御領域５２の一のデータ列に当該識別情報を記録し（ステップＳ１９）、広告データ５０の配信動作を終了させる。
【０１７０】
なお、第１携帯用通信端末装置２００ａにおいて、広告データ５０の配信動作の終了後、当該広告データ５０を表示する場合には、表示制御部２０６が、データ記録部２０４に記録されている広告データ５０を読み出し、ヘッダ領域５１および表示制御領域５２に記録されているデータに基づいて端末表示部２０５に表示させるようになっている。
【０１７１】
このように、本実施形態では、第１携帯用通信端末装置２００ａでは、データ記録部２０４に記録されている広告データ５０の表示制御領域５２に配信先の第２携帯用通信端末装置２００ｂの識別情報を記録することができるとともに、第２携帯用通信端末装置２００ｂには新規に広告データ５０を配信することができるようになっている。
【０１７２】
したがって、本実施形態では、配信元の第１携帯用通信端末装置２００ａには、配信先の識別情報が記録された広告データ５０が格納されており、表示制御部２０６に基づいて当該広告データ５０を表示する際に、第１データ記録部２０４に記録された広告データ５０の表示制御領域５２に基づいて、何れの識別情報も記録されていない場合と異なる広告データ５０を表示させることができるようになっている。
【０１７３】
この結果、広告データ５０に広告主の店舗で使用可能な割引券の要素を付加させた場合であって、当該広告データ５０を他の携帯用通信端末装置２００に配信する毎に、割引率を高くするように異なる画像データをレイヤ情報領域に記録させれば、広告データ５０を他の携帯用通信端末装置２００に配信させる携帯用通信端末装置２００に当該広告データ５０におけるインセンティブを与えることができるようになっている。
【０１７４】
一方、他の携帯用通信端末装置２００とのみで広告データ５０の配信を繰り返し実行したとしても、すなわち、一の携帯用通信端末装置２００が他の携帯用通信端末装置２００に一度広告データ５０を配信した後に、広告データ５０を受信した携帯用通信端末装置２００が、広告データ５０を配信した携帯用通信端末装置２００に当該広告データ５０を配信したとしても、広告データ５０のヘッダ領域５１に基づいて広告データ５０を配信し直した携帯用通信端末装置２００の識別情報は記録されないようになっている。
【０１７５】
このため、上述のような場合であっても、すなわち、広告データ５０に広告主の店舗で使用可能な割引券の要素を付加させた場合であって、当該広告データ５０を他の携帯用通信端末装置２００に配信する毎に、割引率を高くするように異なる画像データをレイヤ情報領域に記録させて当該広告データ５０におけるインセンティブを与えたとしても、不正行為によりそのインセンティブを取得することができないようになっている。
【０１７６】
以上により、本実施形態によれば、携帯用通信端末装置２００は、格納されている広告データ５０を配信先の携帯用通信端末装置２００に配信する毎に、当該配信先の携帯用通信端末装置２００における受信情報を取得するとともに、当該取得された受信を当該格納されている広告データ５０の表示制御領域５２に記録し、格納されている広告データ５０を端末表示部２０５に表示させる際に、表示制御領域５２に記録された受信情報に基づいて複数の画像データの中から一の画像データを特定して、当該特定された画像データを端末表示部２０５に表示させる。
【０１７７】
したがって、携帯用通信端末装置２００同士で当該広告データ５０を配信、すなわち、携帯用通信端末装置２００を媒介して広告データ５０の配信を行うことができるので、データ配信用サーバ装置１００から広告データ５０を直接的に配信させなくても、当該広告データ５０を様々な携帯用通信端末装置２００に配信させることができる。また、データを配信することによって取得した受信情報の記録数に基づいて、端末表示部２０５に表示される画像データを切り換えることができるので、当該広告データ５０を配信した携帯用通信端末装置２００には、その配信に伴ってインセンティブを与えるように画像データを構成すれば、携帯用通信端末装置２００は積極的に他の携帯用通信端末装置２００に広告データ５０を配信すると想定され、より多くの携帯用通信端末装置２００に広告データ５０を配信させることが可能となる。
【０１７８】
また、本実施形態では、配信先の携帯用通信端末装置２００は、広告データ５０の送信先の携帯用通信端末装置２００における識別情報を受信およびその記録を行うことができ、当該記録された識別情報に基づいて、広告データ５０を配信した携帯用通信端末装置２００が以前に当該広告データ５０を配信したか否かを判断させることができるので、同じ携帯用通信端末装置２００同士による広告データ５０の交換によっては受信情報を表示制御領域５２に記録させることを禁止させることができる。
【０１７９】
したがって、広告データ５０における割引率の切換など端末表示部２０５に表示すべき広告データ５０の画像データを切り換えることによってインセンティブを提供する場合であっても、不正な行為により画像データを切り換えることを防止することができる。
【０１８０】
また、受信された識別情報と表示制御領域５２に既に記録された識別情報とが一致するか否かを判断し、各識別情報が一致する場合に、受信された識別情報の表示制御領域５２への記録を中止する。
【０１８１】
したがって、広告データ５０の送信先の携帯用通信端末装置２００における識別情報を受信およびその記録を行うことができ、当該記録された識別情報に基づいて、広告データ５０を配信した携帯用通信端末装置２００が以前に当該広告データ５０を配信したか否かを判断させることができるので、同じ携帯用通信端末装置２００同士による広告データ５０の交換によっては受信情報を表示制御領域５２に記録させることを禁止させることができる。
【０１８２】
この結果、広告データ５０における割引率の切換など端末表示部２０５に表示すべき広告データ５０の画像データを切り換えることによってインセンティブを提供する場合であっても、不正な行為により画像データを切り換えることを防止することができる。
【０１８３】
また、本実施形態では、表示制御領域５２における空き領域の有無を判断し、表示制御領域５２に空き領域が存在しない場合に、取得された識別情報の表示制御領域５２への記録を中止する。
【０１８４】
したがって、端末表示部２０５に表示する画像データの数など多くの画像データが必要なく、また、受信情報をカウントする構成も不要で、画像データの切換表示を制御することができるので、簡易でかつ容易に携帯用通信端末装置２００を構成することができる。
【０１８５】
なお、本実施形態では、データ配信用サーバ装置１００または付け携帯用通信端末装置２００が広告データ５０を配信または送受信するようになっているが、広告データ５０に限らず、文書データ、映像データその他のデータを配信または送受信するようにしてもよい。
【０１８６】
また、本実施形態では、携帯用通信端末装置２００には、他の携帯用通信端末装置２００と無線通信回線によってデータの送受信を行うようになっているが、有線通信回線によってデータの送受信を行うようにしてもよい。
【０１８７】
また、本実施形態では、広告データ５０のデータ形式をヘッダ領域５１、表示制御領域５２、画像データ領域５３およびフッタ領域５４とから構成されるようになっているが、表示制御領域５２に識別情報を記録する領域に代えてカウンタを示す情報を記録するとともに、ヘッダ領域５１に広告データ５０の配信経路を記録するようにしてもよい。
【０１８８】
この場合に、通信制御部２０３は、広告データ５０を配信する毎に送信した他の携帯用通信端末装置２００から取得した識別情報をヘッダ領域５１に順次記録するとともに、広告データ５０を送信した際に取得した他の携帯用通信端末装置２００の識別情報とヘッダ領域５１に記録されている識別情報とを比較するようにする。そして、同じ識別情報がない場合にのみ表示制御領域５２のカウンタに１加算して加算したカウンタ情報を表示制御領域５２のカウンタ情報に上書きするようにする。また、広告データ５０を表示する際には、表示制御部２０６は、カウンタ情報を読み出し、読み出されたカウンタ情報に対応する画像データを表示するようにする。
【０１８９】
また、本実施形態の携帯用通信端末装置２００において、データ送受信部２０１とデータ通信部２０２とが接続されるアンテナＡＴは共通して用いられるようになっているが、勿論、データ送受信部２０１およびデータ通信部２０２に対してそれぞれ別個独立にアンテナを設け、各アンテナにそれぞれ接続されるようにしてもよい。
【０１９０】
また、本実施形態では、送信処理および受信処理の通信処理の動作を、端末制御部２１２および通信制御部２０３によって実行するようになっているが、携帯用通信端末装置２００に当該各通信処理の動作を規定するプログラムが記録された記録媒体と、それを読み取るコンピュータと、を備え、このコンピュータで当該プログラムを読み込むことによって上述と同様の各通信処理の動作を行うようにしてもよい。
【０１９１】
また、本実施形態では、データ配信用サーバ装置１００または携帯用通信端末装置２００の間において広告データの授受を行うようになっているが、広告データに限らず、任意の情報を提供するための配信データであっても、上述のようなデータ構造を有すれば広告データと同様に、当該データの授受を行うことができる。
【図面の簡単な説明】
【０１９２】
【図１】本発明に係る一実施形態における通信システムの概略構成を示すブロック図である。
【図２】本発明に係る一実施形態における広告配信用サーバ装置の構成を示すブロック図である。
【図３】本発明に係る一実施形態における携帯用通信端末装置の構成を示すブロック図である。
【図４】一実施形態において送受信される広告データのデータ形式の一例である。
【図５】一実施形態の各携帯用通信端末装置における広告データ通信処理（送信処理および受信処理）の動作を示すフローチャートである。
【符号の説明】
【０１９３】
１０  …  通信システム
５０  …  広告データ
５１  …  ヘッダ領域
５２  …  表示制御領域
５３  …  画像データ領域
５４  …  フッタ領域
１００  …  データ配信用サーバ装置
２００  …  携帯用通信端末装置
２０１  …  データ送受信部
２０３  …  通信制御部
２０４  …  データ記録部
２０５  …  端末表示部
２０６  …  表示制御部
【図１】
2005203949.tif 000003
【図２】
2005203949.tif 000004
【図３】
2005203949.tif 000005
【図４】
2005203949.tif 000006
【図５】
2005203949.tif 000007